【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
流体分離システムにおけるディスポーザブル品の誤った状態の装填を特定するシステムであって、該システムは、
流体を成分に分離するために使用される遠心分離機のエッジ部分に光を向ける光源と、
前記光源からの光を検出する検出器と、
前記検出器に接続されるプロセッサと、
を備え、
前記エッジ部分は、前記流体が前記成分に分離される分離容器を保持するためのチャネルの近傍に位置し、
前記検出器は、前記チャネル内に誤った状態で装填された分離容器によって散乱された光を検出し、
前記検出器が、誤った状態で装填された前記分離容器によって散乱された光を検出する場合、前記プロセッサは、アクションを行う信号を送る、
システム。
【請求項２】
請求項１記載のシステムにおいて、
前記検出器は、第１カメラである、
システム。
【請求項３】
請求項１又は２記載のシステムにおいて、
前記アクションはアラームである、
システム。
【請求項４】
請求項３記載のシステムにおいて、
前記アクションは音声アラームである、
システム。
【請求項５】
請求項３又は４記載のシステムにおいて、
前記アクションは視覚アラームである、
システム。
【請求項６】
請求項１〜５のいずれか１項に記載のシステムにおいて、
前記検出器が、誤った状態で装填された前記分離容器によって散乱された光を検出する場合、前記プロセッサは、前記遠心分離機の回転を停止させる信号を送る、
システム。
【請求項７】
流体分離システムにおけるディスポーザブル品の誤った状態の装填を特定するシステムであって、該システムは、
前記流体分離システムからの音声を録音するマイクロフォンと、
前記マイクロフォンに接続されるプロセッサと、
を備え、
前記マイクロフォンは、誤った状態で装填されたディスポーザブル品からの音声を録音し、
前記マイクロフォンが、誤った状態で装填された前記ディスポーザブル品からの音声を録音した後、前記プロセッサは、アクションを行う信号を送る、
システム。
【請求項８】
請求項７記載のシステムにおいて、
前記アクションはアラームである、
システム。
【請求項９】
請求項７又は８記載のシステムにおいて、
前記アクションは音声アラームである、
システム。
【請求項１０】
請求項７〜９のいずれか１項に記載のシステムにおいて、
前記アクションは視覚アラームである、
システム。
【請求項１１】
請求項７〜１０のいずれか１項に記載のシステムにおいて、
前記マイクロフォンが、誤った状態で装填された前記ディスポーザブル品からの音声を録音した後、前記プロセッサは、前記流体分離システムの遠心分離機の回転を停止させる信号を送る、
システム。
【請求項１２】
流体分離システムにおけるディスポーザブル品の誤った状態の装填を特定するシステムであって、該システムは、
ディスポーザブル品が遠心分離アセンブリの一部分と係合する第１位置の第１画像データを取り込む第１カメラと、
前記第１画像データと第１基準画像データとを比較する少なくとも１つのプロセッサと、
を備え、
前記第１画像データが前記第１基準画像データと異なる場合、前記少なくとも１つのプロセッサは、アクションを実行する信号を送る、
システム。
【請求項１３】
請求項１２記載のシステムにおいて、
前記アクションはアラームである、
システム。
【請求項１４】
請求項１２又は１３記載のシステムにおいて、
前記アクションは音声アラームである、
システム。
【請求項１５】
請求項１２〜１４のいずれか１項に記載のシステムにおいて、
前記アクションは視覚アラームである、
システム。
【請求項１６】
請求項１２〜１５のいずれか１項に記載のシステムにおいて、
該システムはさらに、前記ディスポーザブル品が前記遠心分離アセンブリの一部分と係合する第２位置の第２画像データを取り込む第２カメラを備え、
前記少なくとも１つのプロセッサは、前記第２画像データと第２基準画像データとを比較し、
前記第２画像データが前記第２基準画像データと異なる場合、前記少なくとも１つのプロセッサは、アクションを実行する信号を送る、
システム。
【請求項１７】
請求項１２〜１６のいずれか１項に記載のシステムにおいて、
前記第１画像データが前記第１基準画像データと所定量だけ異なる場合、前記少なくとも１つのプロセッサは、前記遠心分離アセンブリの遠心分離機の回転を停止させる信号を送る、
システム。
【請求項１８】
請求項１６又は１７記載のシステムにおいて、
前記第２画像データが前記第２基準画像データと異なる場合、前記少なくとも１つのプロセッサは、前記流体分離システムの遠心分離機を停止させる信号を送る、
システム。
【請求項１９】
請求項１〜１８のいずれか１項に記載のシステムにおいて、
前記流体は全血である、
システム。
【請求項２０】
請求項１〜１９のいずれか１項に記載のシステムにおいて、
前記流体分離システムはアフェレーシス・システムである、
システム。
【請求項２１】
流体分離システムにおけるディスポーザブル品の誤った状態の装填を特定するための方法であって、該方法は、
ディスポーザブル品が遠心分離アセンブリの一部分と係合する第１位置の第１画像データを取り込むステップと、
少なくとも１つのプロセッサによって、前記第１画像データと第１基準画像データとを比較するステップであって、前記第１画像データが前記第１基準画像データと異なる場合、前記少なくとも１つのプロセッサが、アクションを実行する信号を送るステップと、
を有する、
方法。
【請求項２２】
請求項２１記載の方法において、
前記比較するステップは、ヒストグラム、エッジ検出、短時間フーリエ変換及びそれらの組み合わせ、のうちの１つ又は複数を用いる、
方法。
【請求項２３】
請求項２１又は２２記載の方法において、
該方法はさらに、
前記第１画像データの第２ヒストグラムを決定するステップと、
前記第２ヒストグラムと前記第１基準画像データの第１ヒストグラムとを比較するステップと、
を有する、
方法。
【請求項２４】
請求項２１〜２３のいずれか１項に記載の方法において、
前記第１画像データと前記第１基準画像データとを比較する前記ステップは、前記第１画像データにおいて所定の色が存在するかどうかを判定するステップを有する、
方法。
【請求項２５】
請求項２１〜２４のいずれか１項に記載の方法において、
前記第１画像データが前記第１基準画像データと異なる場合、前記少なくとも１つのプロセッサは、前記流体分離システムの遠心分離機の回転を停止させる信号を送る、
方法。
【請求項２６】
請求項２１〜２４のいずれか１項に記載の方法において、
該方法はさらに、
ディスポーザブル品が前記遠心分離アセンブリの一部分と係合する第２位置の第２画像データを取り込むステップと、
少なくとも１つのプロセッサによって、前記第２画像データと第２基準画像データとを比較するステップであって、前記第２画像データが前記第２基準画像データと異なる場合、前記少なくとも１つのプロセッサが、アクションを実行する信号を送るステップと、
を有する、
方法。
【請求項２７】
流体分離システムにおけるディスポーザブル品の誤った状態の装填を特定するための方法であって、該方法は、
ディスポーザブル品が装填される遠心分離アセンブリの第１音声データを録音するステップと、
少なくとも１つのプロセッサによって、前記第１音声データと第１基準音声データとを比較するステップであって、前記第１音声データが前記第１基準音声データと異なる場合、前記少なくとも１つのプロセッサが、通知アクションを実行する信号を送るステップと、
を有する、
方法。
【請求項２８】
請求項２７記載の方法において、
前記比較するステップは、高速フーリエ変換、ウェーブレット変換、短時間フーリエ変換及びそれらの組み合わせ、のうちの１つ又は複数を用いる、
方法。
【請求項２９】
請求項２７又は２８記載の方法において、
前記比較するステップは、
前記第１音声データの第１高速フーリエ変換を決定するステップと、
前記第１高速フーリエ変換を前記第１基準音声データの第２高速フーリエ変換と比較するステップと、
を有する、
方法。
【請求項３０】
請求項２７〜２９のいずれか１項に記載の方法において、
前記第１音声データが前記第１基準音声データと異なる場合、前記少なくとも１つのプロセッサは、前記遠心分離アセンブリの遠心分離機の回転を停止させる信号を送る、
方法。